(57)【要約】【課題】  有害物質を発生させることなく、しかも地球資源を大量に消費することなく、動力を発生する動力発生装置を提供する。【解決手段】  ロータに固定された永久磁石２０−１〜２０−１２と、ステータに固定された永久磁石２６−１〜２６−１２，２８−１〜２８−１２との間の磁力による吸引力および反発力により、ロータが矢印Ａの向きに加速度をもって回転する。永久磁石２８−１〜２８−１２は、永久磁石２６−１〜２６−１２に小さい。【選択図】  図７
2007006652.tif 000002
【特許請求の範囲】
【請求項１】
外周面を備え、前記外周面側が第１の磁極となり反対側が第２の磁極となるように、Ｓ個の第１の磁石が前記外周面上の周方向に等間隔の位置に配設された第１の部材と、
前記第１の部材の前記外周面と中心軸を同じくし当該外周面と対向する内周面を備えた第２の部材であって、前記内周面側が第１の磁極となり前記第１の磁石の前記第２の磁極と対向する側が第２の磁極となるように前記内周面に配設された第２の磁石と、前記内周面側が第２の磁極となり前記第１の磁石の前記第２の磁極と対向する側が第１の磁極となると共に前記第２の磁石と接触あるいは近接して前記内周面に配設され、前記第２の磁石よりサイズが小さい第３の磁石とによって各々構成されるＴ個の磁石体が、前記第１の部材および前記第２の部材の少なくとも一方が前記中心軸を中心に回転することで、前記Ｓ個の第１の磁石の各々の前記第２の磁極が前記Ｍ個の磁石体を構成する前記第２に磁石の前記第２の磁極と前記第３の磁石の前記第１の磁極と交互に対向するように、前記内周面上の周方向に等間隔の位置に配設された第２の部材と
を有する動力発生装置。
【請求項２】
前記第１の磁石に対向する側の前記第３の磁石の端部は、前記第１の磁石に対向する側の前記第２の磁石の端部に比べて、前記第１の磁石から離れて位置する
請求項１に記載の動力発生装置。
【請求項３】
前記Ｓ，Ｔは、Ｓ＝Ｔ＋１あるいはＴ＝Ｓ＋１を満たす
請求項１に記載の動力発生装置。
【請求項４】
前記Ｓ，Ｔは、ＳはＴの約数ではなく、ＴはＳの約数ではなく、且つ、Ｓ≠Ｔであるという条件を満たす
請求項１に記載の動力発生装置。
【請求項５】
前記第１の部材および前記第２の部材の少なくとも一方は固定されている
請求項１〜４のいずれかに記載の動力発生装置。
【請求項６】
前記第１の磁石、前記第２の磁石および前記第３の磁石は、前記中心軸が延びる方向を長手方向とする
請求項１〜５のいずれかに記載の動力発生装置。
【請求項７】
前記第２の磁石および前記第３の磁石の前記中心軸と直交する断面は、前記第１の部材の前記外周面に向かうに従って小さくなっている
請求項１〜６のいずれかに記載の動力発生装置。
【請求項８】
前記第３の磁石の前記断面は、前記第２の磁石の断面に比べて大きい
請求項７に記載の動力発生装置。
【請求項９】
前記第１の磁石の前記中心軸と直交する断面は、前記第２の部材の前記内周面に向かうに従って小さくなっている
請求項１〜８のいずれかに記載の動力発生装置。
【請求項１０】
前記第１の磁石、前記第２の磁石および前記第３の磁石は、永久磁石である
請求項１〜９のいずれかに記載の動力発生装置。
【発明の詳細な説明】
【技術分野】
【０００１】
本発明は、永久磁石などの磁石を用いて動力を発生する動力発生装置に関する。
【背景技術】
【０００２】
例えば、石油などの燃料を燃焼させて生じたエネルギを基に発電を行うシステムがある。
【発明の開示】
【発明が解決しようとする課題】
【０００３】
上述した従来のシステムでは、石油などを燃焼させることで、大量の二酸化炭素を排出するため、地球環境上、様々な問題を引き起こしている。
また、石油などの資源は有限である。
【０００４】
本発明は、上述した従来技術に鑑みてなされ、二酸化炭素を大量に発生させることなく、しかも地球資源を大量に消費することなく、動力を効率的に発生する動力発生装置を提供することを目的とする。
【課題を解決するための手段】
【０００５】
上述した目的を達成するために、本発明の動力発生装置は、外周面を備え、前記外周面側が第１の磁極となり反対側が第２の磁極となるように、Ｓ個の第１の磁石が前記外周面上の周方向に等間隔の位置に配設された第１の部材と、前記第１の部材の前記外周面と中心軸を同じくし当該外周面と対向する内周面を備えた第２の部材であって、前記内周面側が第１の磁極となり前記第１の磁石の前記第２の磁極と対向する側が第２の磁極となるように前記内周面に配設された第２の磁石と、前記内周面側が第２の磁極となり前記第１の磁石の前記第２の磁極と対向する側が第１の磁極となると共に前記第２の磁石と接触あるいは近接して前記内周面に配設され、前記第２の磁石よりサイズが小さい第３の磁石とによって各々構成されるＴ個の磁石体が、前記第１の部材および前記第２の部材の少なくとも一方が前記中心軸を中心に回転することで、前記Ｓ個の第１の磁石の各々の前記第２の磁極が前記Ｍ個の磁石体を構成する前記第２に磁石の前記第２の磁極と前記第３の磁石の前記第１の磁極と交互に対向するように、前記内周面上の周方向に等間隔の位置に配設された第２の部材とを有する。
【０００６】
本発明の動力発生装置は、好ましくは、前記第１の磁石に対向する側の前記第３の磁石の端部は、前記第１の磁石に対向する側の前記第２の磁石の端部に比べて、前記第１の磁石から離れて位置する。
また、本発明の動力発生装置は、好ましくは、前記Ｓ，Ｔは、Ｓ＝Ｔ＋１あるいはＴ＝Ｓ＋１を満たす。
また、本発明の動力発生装置は、好ましくは、前記Ｓ，Ｔは、ＳはＴの約数ではなく、ＴはＳの約数ではなく、且つ、Ｓ≠Ｔであるという条件を満たす。
また、本発明の動力発生装置は、好ましくは、前記第１の部材および前記第２の部材の少なくとも一方は固定されている。
また、本発明の動力発生装置は、好ましくは、前記第１の磁石、前記第２の磁石および前記第３の磁石は、前記中心軸が延びる方向を長手方向とする。
また、本発明の動力発生装置は、好ましくは、前記第２の磁石および前記第３の磁石の前記中心軸と直交する断面は、前記第１の部材の前記外周面に向かうに従って小さくなっている。
【０００７】
また、本発明の動力発生装置は、好ましくは、前記第３の磁石の前記断面は、前記前記第２の磁石の断面に比べて大きい。
また、本発明の動力発生装置は、好ましくは、前記第１の磁石の前記中心軸と直交する断面は、前記第２の部材の前記内周面に向かうに従って小さくなっている。
また、本発明の動力発生装置は、好ましくは、前記第１の磁石、前記第２の磁石および前記第３の磁石は、永久磁石である。
【発明の効果】
【０００８】
本発明によれば、有害物質を発生させることなく、しかも地球資源を大量に消費することなく、動力を発生する動力発生装置を提供することができる。
【発明を実施するための最良の形態】
【０００９】
以下、本発明の実施形態に係わる動力発生装置について説明する。
＜第１実施形態＞
図１は、本発明の第１実施形態の動力発生装置１の断面構成図である。
図２は、図１中右側から見た動力発生装置１の外観図である。
図３は、図１に示す断面線Ａ＿Ａにおける断面構成における永久磁石２０−ｓ（ｓは１≦ｓ≦１２の整数）および磁石体２４−ｔ（ｔは１≦ｔ≦１３の整数）の配置を説明するための図である。
【００１０】
本実施形態では、第１の発明に対応し、Ｓ＝１２、Ｔ＝１３の場合を例示する。
また、本実施形態のＳ極が第１の発明の第１の磁極に対応し、本実施形態のＮ極が第１の発明の第２の磁極に対応している。
また、ロータケース１６およびロータ磁石封入ケ−ス１８が、第１の発明の第１の部材に対応し、外周面１８ａが第１の発明の外周面に対応している。
また、本実施形態のハウジング１０およびステータ磁石封入ケース２２が、第１の発明の第２の部材に対応し、内周面２２ａが第１の発明の内周面に対応している。
また、永久磁石２０−ｓが第１の発明の第１の磁石に対応し、永久磁石２６−ｔが第１の発明の第２の磁石に対応し、永久磁石２８−ｔが第１の発明の第３の磁石に対応している。
【００１１】
図１に示すように、動力発生装置１のハウジング１０には、ベアリング１４が固定されている。
シャフト１２は、ベアリング１４により回転可能に支持されている。
シャフト１２には、ロータケース１６が固定されている。
ロータケース１６にはロータ磁石封入ケ−ス１８が固定されている。
ロータ磁石封入ケ−ス１８は、シャフト１２と中心軸９を同じくする外周面１８ａを有し、図３に示すように、この外周面１８ａに周方向に等間隔に、１２個の永久磁石２０−１〜２０−１２が固定されている。
永久磁石２０−１〜２０−１２は、そのＳ極がロータ磁石封入ケ−ス１８の外周面１８ａ側に固定されており、そのＮ極が反対側（ステータ磁石封入ケース２２の内周面２２ａ側）に位置する。
【００１２】
ハウジング１０には、中心軸９を同じくして、外周面１８ａと対向する内周面２２ａを備えたステータ磁石封入ケース２２が固定されている。
ステータ磁石封入ケース２２の内周面２２ａには、図３に示すように、その周方向に等間隔に、１３個の磁石体２４−１〜２４−１３が固定されている。
【００１３】
磁石体２４−ｔ（ｔは１≦ｔ≦１３の整数）は、図３に示すように、永久磁石２６−ｔと永久磁石２８−ｔとを接触あるいは近接して配置して構成される。
永久磁石２６−ｔは、そのＳ極がステータ磁石封入ケース２２の内周面２２ａに固定されており、そのＮ極が反対側（ロータ磁石封入ケ−ス１８の外周面１８ａ側）に位置する。
永久磁石２８−ｔは、そのＮ極がステータ磁石封入ケース２２の内周面２２ａに固定されており、そのＳ極が反対側（ロータ磁石封入ケ−ス１８の外周面１８ａ側）に位置する。
【００１４】
具体的には、図３に示すように、ロータケース１６（外周面１８ａ）が中心軸９を中心に回転することで、１２個の永久磁石２０−ｓ（ｓは１≦ｔ≦１２の整数）の各々が、１３個の磁石体２４−ｔの永久磁石２６−ｔのＮ極と永久磁石２８−ｔのＳ極と交互に対向するように、永久磁石２６−ｔと永久磁石２８−ｔとが内周面２２ａ上に配設されている。
【００１５】
図４は、図１に示す図１の断面線Ａ＿Ａにおける断面の永久磁石２０−ｓおよび磁石体２４−ｔの配置を説明するための図である。
例えば、図４に示すように、中心軸９を中心として、ロータ磁石封入ケ−ス１８の外周面１８ａの直径は８８ｍｍであり、ステータ磁石封入ケース２２の内周面２２ａの直径は１５５ｍｍである。
【００１６】
図４〜図６に示すように、永久磁石２０−ｓ、永久磁石２６−ｔおよび永久磁石２８−ｔの径方向の厚み（高さ）は１５ｍｍである。
永久磁石２０−ｓは、例えば、図５に示すように、短辺４ｍｍ、長辺１８ｍｍの線対称の台形の断面を有し、奥行きが７０ｍｍである。
また、永久磁石２０−ｓの高さは、例えば、１６ｍｍである。
【００１７】
永久磁石２６−ｔは、例えば、図６（Ａ），（Ｂ）に示すように、短辺２ｍｍ、長辺１０ｍｍの直角の内角を持つ台形の断面を有し、奥行きが７０ｍｍである。
永久磁石２６−ｔの高さは、例えば、１５ｍｍである。
永久磁石２０−ｓの短辺によって構成される面２０−ｓａと、永久磁石２６−ｔの短辺によって構成される面２６−ｔａとの直径方向の距離は、図４に示すように、１ｍｍ（＝（１２２−１２０）／２）である。
【００１８】
永久磁石２８−ｔは、例えば、図６（Ｃ），（Ｄ）に示すように、短辺２ｍｍ、長辺１０ｍｍの直角の内角を持つ台形の断面を有し、奥行きが７０ｍｍである。
永久磁石２８−ｔの高さは、例えば、永久磁石２７−ｔの高さの半分の７．５ｍｍである。
永久磁石２０−ｓの短辺によって構成される面２０−ｓａと、永久磁石２８−ｔの短辺によって構成される面２８−ｔａとの直径方向の距離は、例えば、図４に示すように、９．５ｍｍである。
【００１９】
上述したように、本実施形態では、永久磁石２８−ｔの大きさを、永久磁石２６−ｔに比べて小さくしている。また、永久磁石２０−ｓに対して、永久磁石２８−ｔを、永久磁石２６−ｔに比べて離れた位置に配設している。
【００２０】
以下、図７を参照して動力発生装置１の動作を説明する。
動力発生装置１は、永久磁石２０−ｓのＮ極と永久磁石２６−ｔのＮ極との反発力を主として、永久磁石２０−ｓのＮ極と永久磁石２８−ｔのＳ極との吸引力を従として、内輪のロータケース１６が図７中矢印Ａの向き（反時計周り）に回転する。
このとき、上述したように、永久磁石２８−ｔの大きさを永久磁石２６−ｔに比べて小さくし、かつ、永久磁石２０−ｓに対して永久磁石２８−ｔを永久磁石２６−ｔに比べて離れた位置に配設したことで、永久磁石２０−ｓのＮ極と永久磁石２８−ｔのＳ極との吸引力を、永久磁石２０−ｓのＮ極と永久磁石２６−ｔのＮ極との反発力の略半分にでき、反発力と吸引力のバランスによりロータケース１６が停止してしまうことを回避できる。
【００２１】
以下、ロータケース１６が、図７に示すように永久磁石２０−ｓを位置させるシャフト１２を中心とした回転位置にある場合を考える。
図７に示す回転位置において、永久磁石２０−１のＮ極は、永久磁石２６−１のＮ極と永久磁石２８−１のＳ極との間に等しい距離で近接しているため、永久磁石２６−１のＮ極による反発力と永久磁石２８−１のＳ極による吸引力とにより、ロータケース１６を図７中矢印Ｂの向きに回転させる強い回転力を生じる。
また、永久磁石２０−２のＮ極は、永久磁石２８−２のＳ極と近接かつ対向して位置し、永久磁石２６−２のＮ極も近接しているため、永久磁石２６−２のＮ極の反発力により、ロータケース１６を図７中矢印Ｂの向きに回転させる強い回転力を生じる。
また、永久磁石２０−３のＮ極は、永久磁石２８−３のＳ極と非常に近接しているため、永久磁石２８−３のＳ極の吸引力により、ロータケース１６を図７中矢印Ｂと反対の矢印Ａの向きに回転させる強い回転力を生じる。
また、永久磁石２０−４のＮ極は、永久磁石２８−４のＳ極と近接しているため、永久磁石２８−４のＳ極の吸引力により、ロータケース１６を図７中矢印Ａの向きに回転させる強い回転力を生じる。
また、永久磁石２０−５のＮ極は、永久磁石２８−５のＳ極と近接しているため、永久磁石２８−５のＳ極の吸引力により、ロータケース１６を図７中矢印Ａの向きに回転させる強い回転力を生じる。
また、永久磁石２０−６のＮ極は、永久磁石２６−７のＮ極と永久磁石２８−６のＳ極との中間に位置し、永久磁石２６−７のＮ極の反発力と永久磁石２８−６のＳ極の吸引力により、ロータケース１６を図７中矢印Ａの向きに回転させる強い回転力を生じる。
また、永久磁石２０−７のＮ極は、永久磁石２６−８のＮ極と永久磁石２８−７のＳ極との中間に位置し、永久磁石２６−８のＮ極の反発力と永久磁石２８−７のＳ極の吸引力により、ロータケース１６を図７中矢印Ａの向きに回転させる強い回転力を生じる。
【００２２】
また、永久磁石２０−８のＮ極は、永久磁石２６−９のＮ極の反発力により、ロータケース１６を図７中矢印Ａの向きに回転させる回転力を生じる。
また、永久磁石２０−９のＮ極は、永久磁石２６−１０のＮ極と近接しているため、永久磁石２６−１０のＮ極の反発力により、ロータケース１６を図７中矢印Ａの向きに回転させる強い回転力を生じる。
また、永久磁石２０−１０のＮ極は、永久磁石２６−１１のＮ極と近接しているため、永久磁石２６−１１のＮ極の反発力により、ロータケース１６を図７中矢印Ａの向きに回転させる強い回転力を生じる。
【００２３】
永久磁石２０−１１のＮ極は、永久磁石２６−１２のＮ極と近接かつ対向して位置し、かつ永久磁石２８−１２のＳ極にも近接しているため、ロータケース１６を図中矢印Ｂの向きに回転させる強い回転力を生じる。
永久磁石２０−１２のＮ極は、永久磁石２６−１３のＮ極と近接かつ対向して位置し、かつ永久磁石２８−１３のＳ極にも近接しているため、ロータケース１６を図中矢印Ｂの向きに回転させる強い回転力を生じる。
【００２４】
上述したように、図７に示す回転位置において、ロータケース１６は、永久磁石２０−３，２０−４，２０−５，２０−６，２０−７，２０−８，２０−９，２０−１０においてロータケース１６を図７中矢印Ａの向きに回転させる回転力が生じ、永久磁石２０−１１，２０−１２，２０−１，２０−２においてロータケース１６を図７中矢印Ｂの向きに回転させる回転力が生じる。
このとき、回転力の総和を計算すると、図７に示す回転位置において、ロータケース１６を矢印Ａの向きに回転させる強い回転力が生じる。
【００２５】
以下、永久磁石２６−１および永久磁石２８−１と永久磁石２０−ｓとの間の位置関係を中心にロータケース１６の回転位置に応じた回転力を、ロータケース１６が１回転する時間内に略同じ時間間隔で規定した１２個の第１〜第１２のタイミングについて時系列的に見る。
例えば、図７に示すタイミング（以下、第１のタイミングとも記す）の次のタイミング（第２のタイミング）には、永久磁石２６−１および永久磁石２８−１と永久磁石２０−ｓとの間の位置関係は、図７に示す永久磁石２６−１３および永久磁石２８−１３と永久磁石２０−ｓとの間の位置関係と同じになり、図７に示す場合と同様に回転力の総和はロータケース１６を矢印Ａの向きに回転させる強い回転力となる。
【００２６】
次に、上記第２のタイミングの次の第３のタイミングには、永久磁石２６−１および永久磁石２８−１と永久磁石２０−ｓとの間の位置関係は、図７に示す永久磁石２６−１２および永久磁石２８−１２と永久磁石２０−ｓとの間の位置関係と同じになり、図７に示す場合と同様に回転力の総和はロータケース１６を矢印Ａの向きに回転させる強い回転力となる。
【００２７】
次に、上記第３のタイミングの次の第４のタイミングには、永久磁石２６−１および永久磁石２８−１と永久磁石２０−ｓとの間の位置関係は、図７に示す永久磁石２６−１１および永久磁石２８−１１と永久磁石２０−ｓとの間の位置関係と同じになり、図７に示す場合と同様に回転力の総和はロータケース１６を矢印Ａの向きに回転させる強い回転力となる。
【００２８】
次に、上記第４のタイミングの次の第５のタイミングには、永久磁石２６−１および永久磁石２８−１と永久磁石２０−ｓとの間の位置関係は、図７に示す永久磁石２６−１０および永久磁石２８−１０と永久磁石２０−ｓとの間の位置関係と同じになり、図７に示す場合と同様に回転力の総和はロータケース１６を矢印Ａの向きに回転させる強い回転力となる。
【００２９】
次に、上記第５のタイミングの次の第６のタイミングには、永久磁石２６−１および永久磁石２８−１と永久磁石２０−ｓとの間の位置関係は、図７に示す永久磁石２６−９および永久磁石２８−９と永久磁石２０−ｓとの間の位置関係と同じになり、図７に示す場合と同様に回転力の総和はロータケース１６を矢印Ａの向きに回転させる強い回転力となる。
【００３０】
次に、上記第６のタイミングの次の第７のタイミングには、永久磁石２６−１および永久磁石２８−１と永久磁石２０−ｓとの間の位置関係は、図７に示す永久磁石２６−８および永久磁石２８−８と永久磁石２０−ｓとの間の位置関係と同じになり、図７に示す場合と同様に回転力の総和はロータケース１６を矢印Ａの向きに回転させる強い回転力となる。
【００３１】
次に、上記第７のタイミングの次の第８のタイミングには、永久磁石２６−１および永久磁石２８−１と永久磁石２０−ｓとの間の位置関係は、図７に示す永久磁石２６−７および永久磁石２８−７と永久磁石２０−ｓとの間の位置関係と同じになり、図７に示す場合と同様に回転力の総和はロータケース１６を矢印Ａの向きに回転させる強い回転力となる。
【００３２】
次に、上記第８のタイミングの次の第９のタイミングには、永久磁石２６−１および永久磁石２８−１と永久磁石２０−ｓとの間の位置関係は、図７に示す永久磁石２６−６および永久磁石２８−６と永久磁石２０−ｓとの間の位置関係と同じになり、図７に示す場合と同様に回転力の総和はロータケース１６を矢印Ａの向きに回転させる強い回転力となる。
【００３３】
次に、上記第９のタイミングの次の第１０のタイミングには、永久磁石２６−１および永久磁石２８−１と永久磁石２０−ｓとの間の位置関係は、図７に示す永久磁石２６−５および永久磁石２８−５と永久磁石２０−ｓとの間の位置関係と同じになり、図７に示す場合と同様に回転力の総和はロータケース１６を矢印Ａの向きに回転させる強い回転力となる。
【００３４】
次に、上記第１０のタイミングの次の第１１のタイミングには、永久磁石２６−１および永久磁石２８−１と永久磁石２０−ｓとの間の位置関係は、図７に示す永久磁石２６−４および永久磁石２８−４と永久磁石２０−ｓとの間の位置関係と同じになり、図７に示す場合と同様に回転力の総和はロータケース１６を矢印Ａの向きに回転させる強い回転力となる。
【００３５】
次に、上記第１１のタイミングの次の第１２のタイミングには、永久磁石２６−１および永久磁石２８−１と永久磁石２０−ｓとの間の位置関係は、図７に示す永久磁石２６−３および永久磁石２８−３と永久磁石２０−ｓとの間の位置関係と同じになり、図７に示す場合と同様に回転力の総和はロータケース１６を矢印Ａの向きに回転させる強い回転力となる。
【００３６】
次に、上記第１２のタイミングの次の第１３のタイミングには、永久磁石２６−１および永久磁石２８−１と永久磁石２０−ｓとの間の位置関係は、図７に示す永久磁石２６−２および永久磁石２８−２と永久磁石２０−ｓとの間の位置関係と同じになり、図７に示す場合と同様に回転力の総和はロータケース１６を矢印Ａの向きに回転させる強い回転力となる。
【００３７】
上記第１３のタイミングの次には上記第１のタイミングに戻る。
【００３８】
以上説明したように、動力発生装置１によれば、上述したように、上記全てのタイミングにおけるロータケース１６の回転位置において、ロータケース１６を図７中矢印Ａの向きに回転させる強い回転力を生じ、シャフト１２の回転摩擦、並びに空気抵抗等を考慮しても、発電機８による発電を可能にする十分な回転動力を発生できる。
動力発生装置１では、永久磁石の反発力と吸引力との双方により、ロータケース１６を回転させる非常に強い回転力を得ることができる。
動力発生装置１では、上述したように、永久磁石２８−ｔの大きさを永久磁石２６−ｔに比べて小さくし、かつ、永久磁石２０−ｓに対して永久磁石２８−ｔを永久磁石２６−ｔに比べて離れた位置に配設したことで、永久磁石２０−ｓのＮ極と永久磁石２８−ｔのＳ極との吸引力を、永久磁石２０−ｓのＮ極と永久磁石２６−ｔのＮ極との反発力の略半分にでき、反発力と吸引力のバランスによりロータケース１６が停止してしまうことを回避できる。
【００３９】
なお、永久磁石２０−ｓ，２６−ｔ，２８−ｔの長手方向の長さを長くするに従って回転力は増大する。
また、動力発生装置１では、手動足踏レバーや油圧ジャッキなどで、ロータケース１６をステータ磁石封入ケース２２の外側に移動させることで回転速度を減速させたり回転を停止させることができる。
【００４０】
＜第２実施形態＞
本実施形態では、例えば、図８に示すように、Ｎ極磁石２０−ｓのＮ極とＳ極を第１実施形態の場合と逆向きに配置する。
図８に示す場合には、第１実施形態と同様の原理で、ロータケース１６は、矢印Ｂの向きに強く回転力で回転する。
【００４１】
＜第３実施形態＞
本実施形態では、例えば、図９に示すように、ロータ磁石封入ケ−ス１８の外周面１８ａに周方向に等間隔に、６個の永久磁石２０−１，２０−３，２０−５，２０−７，２０−９，２０−１１が固定されている。
本実施形態によっても第１実施形態と同様の効果が得られる。
【００４２】
本発明は上述した実施形態には限定されない。
上述した実施形態では、Ｓ＝１２、Ｔ＝１３の場合を例示したが、本発明は、Ｓ＝Ｔ＋１あるいはＴ＝Ｓ＋１という条件、あるいは、ＳはＴの約数ではなく、ＴはＳの約数ではなく、且つ、Ｓ≠Ｔであるという条件を満たせば特に限定されない。
【産業上の利用可能性】
【００４３】
本発明は、永久磁石などの磁石を用いて動力を発生する動力発生装置に適用できる。
【図面の簡単な説明】
【００４４】
【図１】図１は、本発明の第１実施形態の動力発生装置の断面構成図である。
【図２】図２は、図１中右側から見た動力発生装置の外観図である。
【図３】図３は、図１に示す断面線Ａ＿Ａにおける断面構成における永久磁石２０−ｓ（ｓは１≦ｓ≦１２の整数）および磁石体２４−ｔ（ｔは１≦ｔ≦１３の整数）の配置を説明するための図である。
【図４】図４は、図３に示す部分のサイズを説明するための図である。
【図５】図５は、永久磁石２０−ｓの寸法を説明するための図である。
【図６】図６は、永久磁石２６−ｔ，２８−ｔの寸法を説明するための図である。
【図７】図７は、本発明の第１実施形態の動力発生装置の動作を説明するための図である。
【図８】図８は、本発明の第２実施形態に係わる動力発生装置を説明するための図である。
【図９】図９は、本発明の第３実施形態に係わる動力発生装置を説明するための図である。
【符号の説明】
【００４５】
１…動力発生装置、８…発電機、９…中心軸、１０…ハウジング、１２…シャフト、１４…ベアリング、１６…ロータケース、１８…ロータ磁石封入ケ−ス、２２…ステータ磁石封入ケース、２０−ｓ，２６−ｔ，２８−ｔ…永久磁石
【図１】
2007006652.tif 000003
【図２】
2007006652.tif 000004
【図３】
2007006652.tif 000005
【図４】
2007006652.tif 000006
【図５】
2007006652.tif 000007
【図６】
2007006652.tif 000008
【図７】
2007006652.tif 000009
【図８】
2007006652.tif 000010
【図９】
2007006652.tif 000011